(57)【要約】【目的】  二種以上のディジタル放送波を受信できる構成で使い勝手のよい番組ガイドの表示機能を具備するディジタル放送受信装置を提供する。【構成】  放送受信装置のメモリには、ディジタル放送波から取り出した番組情報が格納される。リモコン送信機の複数ＥＰＧキーが押下されたときには、放送受信装置のＣＰＵは、ディジタルＢＳについては、１０１ｃｈにおける時間帯ＡＭ０：００〜ＡＭ３：００の番組情報をメモリから取り出してＥＰＧ表示枠Ａを作成し、ＣＳについては、５１ｃｈにおける時間帯ＡＭ０：００〜ＡＭ３：００の番組情報をメモリから取り出してＥＰＧ表示枠Ｂを作成し、地上ディジタルについては、３ｃｈにおける時間帯ＡＭ０：００〜ＡＭ３：００の番組情報をメモリから取り出してＥＰＧ表示枠Ｃを作成する。【選択図】    図２
2005286949.tif 000002
【特許請求の範囲】
【請求項１】
少なくとも第１方式のディジタル放送と第２方式のディジタル放送を受信して各ディジタル放送から番組情報を取り出すことができるディジタル放送受信装置において、電子番組ガイドの画面表示内に、少なくとも第１方式ディジタル放送の電子番組ガイド表示枠と第２方式ディジタル放送の電子番組ガイド表示枠とが確保され、これら表示枠内で各々の番組欄が時間帯を一致させて表示されるように構成されたことを特徴とするディジタル放送受信装置。
【請求項２】
請求項１に記載のディジタル放送受信装置において、ユーザにより指定された番組又はチャンネルに基づいて各電子番組ガイドが作成されることを特徴とするディジタル放送受信装置。
【請求項３】
請求項２に記載のディジタル放送受信装置において、複数のユーザにより指定された番組又はチャンネルについての情報を各々記憶しておき、各ユーザごとに前記電子番組ガイドが作成されるように構成されたことを特徴とするディジタル放送受信装置。
【請求項４】
請求項１乃至請求項３のいずれかに記載のディジタル放送受信装置において、ユーザ操作によって一つの電子番組ガイド表示枠が選択された状態でチャンネル軸方向のスクロール指令が与えられると、当該一つの電子番組ガイド表示枠内でチャンネル軸方向のスクロール処理が行われるように構成されたことを特徴とするディジタル放送受信装置。
【請求項５】
請求項１乃至請求項４のいずれかに記載のディジタル放送受信装置において、各ディジタル放送波から番組情報を取り出すために一つ又は複数のデコーダを備えたことを特徴とするディジタル放送受信装置。
【請求項６】
請求項１乃至請求項５のいずれかに記載のディジタル放送受信装置において、画面表示された電子番組ガイド上でユーザにより番組が選択されたときには当該番組を受信するための処理を行うように構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時刻、番組継続時間、番組内容情報、番組ジャンル情報などの各種情報を含んでおり、受信装置側ではＯＳＤ（オンスクリーンディスプレイ）機能を用いた電子番組ガイド（ＥＰＧ：Ｅｌｅｃｔｒｏｎｉｃ  Ｐｒｏｇｒａｍ  Ｇｕｉｄｅ）を表示することによって、多チャンネル放送のなかからユーザが望む番組を選択することができる。
【０００４】
図５は従来のＥＰＧ画面を例示している。このＥＰＧ画面は、縦軸を時間軸とし、横軸にはチャンネル番号を表している。このようなＥＰＧ表示に関する従来技術としては、ユーザに日付を入力させ、この日付に対応した番組表を表示するものがある（特許文献１参照）。
【特許文献１】特開２００２−１０１３５０号公報
【発明の開示】
【発明が解決しようとする課題】
【０００５】
ところで、ディジタル放送においては、ＢＳ（Ｂｒｏａｄｃａｓｔｉｎｇ  Ｓａｔｅｌｌｉｔｅ）、ＣＳ（Ｃｏｍｍｕｎｉｃａｔｉｏｎｓ  Ｓａｔｅｌｌｉｔｅ）、地上ディジタル放送といった複数のディジタル放送が行われることとなり、これら複数のディジタル放送波を受信できる放送受信装置を提供することが可能である。そして、ユーザが、これら複数の放送波のなかから所望の番組を選局するために、前述のＥＰＧ画面を用いることができる。
【０００６】
しかしながら、例えば、ＢＳディジタル放送を視聴中にＣＳディジタル放送のＥＰＧ画面を表示させることはできず、一旦ＣＳディジタル放送受信状態に切り替えた後、再度ＥＰＧ画面の表示を要求しなければならない。
【０００７】
この発明は、上記の事情に鑑み、二種以上のディジタル放送波を受信できる構成で使い勝手のよい電子番組ガイドの表示機能を具備するディジタル放送受信装置を提供することを目的とする。
【課題を解決するための手段】
【０００８】
この発明のディジタル放送受信装置は、上記課題を解決するために、少なくとも第１方式のディジタル放送と第２方式のディジタル放送を受信して各ディジタル放送から番組情報を取り出すことができるディジタル放送受信装置において、電子番組ガイドの画面表示内に、少なくとも第１方式ディジタル放送の電子番組ガイド表示枠と第２方式ディジタル放送の電子番組ガイド表示枠とが確保され、これら表示枠内で各々の番組欄が時間帯を一致させて表示されるように構成されたことを特徴とする。
【０００９】
上記の構成であれば、二種以上のディジタル放送波を受信できる構成で使い勝手のよい電子番組ガイドの表示機能を提供できる。
【００１０】
上記構成のディジタル放送受信装置において、ユーザにより指定された番組又はチャンネルに基づいて各電子番組ガイドが作成されるのがよい。また、複数のユーザにより指定された番組又はチャンネルについての情報を各々記憶しておき、各ユーザごとに前記電子番組ガイドが作成されるのがよい。
【００１１】
また、これら構成のディジタル放送受信装置において、ユーザ操作によって一つの電子番組ガイド表示枠が選択された状態でチャンネル軸方向のスクロール指令が与えられると、当該一つの電子番組ガイド表示枠内でチャンネル軸方向のスクロール処理が行われるように構成されているのがよい。
【００１２】
また、これら構成のディジタル放送受信装置においては、各ディジタル放送波から番組情報を取り出すために一つ又は複数のデコーダを備えていればよい。また、画面表示された電子番組ガイド上でユーザにより番組が選択されたときには当該番組を受信するための処理を行うように構成されているのがよい。
【発明の効果】
【００１３】
以上説明したように、この発明によれば、二種以上のディジタル放送波を受信できる構成で使い勝手のよい電子番組ガイドの表示機能を提供できるという効果を奏する。
【発明を実施するための最良の形態】
【００１４】
以下、この発明の実施形態を図１乃至図４に基づいて説明するが、ここではＣＳ放送とＢＳディジタル放送と地上ディジタル放送の全てを受信できる構成例を示している。
【００１５】
図１はこの実施形態のディジタル放送受信装置３０を示したブロック図である。アンテナ１Ａは、屋外において所定の方向に向けて配置されており、ＣＳ及びディジタルＢＳから送られてくるディジタル放送信号を受信する。このアンテナ１Ａは一般に周波数変換器を備え、受信／周波数変換した信号を衛星ディジタルチューナ２Ａに与える。衛星ディジタルチューナ２ＡはＣＳ及びＢＳディジタル放送を受信する。また、アンテナ１Ｂは地上波ディジタル放送信号を受信し、地上波ディジタルチューナ２Ｂに与える。
【００１６】
チューナ２Ａ・２Ｂは、映像・音声データを含む高周波ディジタル変調信号のうちから特定周波数の信号を取り出す。また、チューナ２Ａ・２Ｂは、復調回路、逆インタリーブ回路、誤り訂正回路などを備えることにより、選択したディジタル変調信号を復調してトランスポート・ストリームを出力する。
【００１７】
デマルチプレクサ（ＤＥＭＵＸ：ＴＳデコーダ）３は、ＣＰＵ１３の指令に基づき、チューナ２Ａ・２Ｂからのトランスポート・ストリームを入力し、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等の付属情報に分離する。
【００１８】
デマルチプレクサ３は、ＣＰＵ１３の指示によりＣＳ、ＢＳディジタル放送、又は地上ディジタル放送のビデオ・オーディオストリームを選択してＡＶデコーダ４に供給し、ＰＳＩ／ＳＩに含まれる番組情報（番組名、番組開始時刻、番組内容情報、番組ジャンル情報等）等をＣＰＵ１３に供給する。なお、図１においては、一つのデマルチプレクサ（ＴＳデコーダ）３を示しているが、各チューナごとに設けておいてもよい。この場合、ＣＳ放送の視聴中に裏でＢＳディジタルや地上ディジタル放送の番組情報を取得しておくといったことが容易になる。
【００１９】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２０】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号及び左（Ｌ）音のアナログ信号を生成したり、主音声及び副音声のアナログ信号を生成したりする。
【００２１】
映像出力回路７及び音声出力回路８は出力抵抗や増幅器等を備えて成る。ＡＶ出力端子９には出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００２２】
ＯＳＤ（オンスクリーンディスプレイ）回路１２は、ＣＰＵ１３から出力指示された文字情報や色情報に基づく映像データを生成して加算器２０に出力する。加算器２０は前記映像データをＡＶデコーダ４から出力される受信映像データに組み込む処理を行う。このＯＳＤ回路１２により、メニュー画面やメッセージ画面などが表示される。
【００２３】
リモコン送信機１０は、当該放送受信装置３０に指令を送出するための送信機である。リモコン送信機１０の各キーを操作すると、そのキーに対応した指令を意味する信号光（リモコン信号）が図示しない発光部から送出される。リモコン受光器１１は、前記信号光を受光し、これを電気信号に変換してＣＰＵ１３に与える。なお、この実施形態では、リモコン送信機１０には、「通常ＥＰＧ」キーと「複数ＥＰＧ」キーを設けている。勿論、一つのＥＰＧキーを設けておき、メニュー画面のユーザ設定において、「通常ＥＰＧ」と「複数ＥＰＧ」のいずれかを選択し、前記一つのＥＰＧキーを「通常ＥＰＧ」キー又は「複数ＥＰＧ」キーとして機能させるようにしてもよい。
【００２４】
メモリ（例えば、ＲＡＭ、ＥＥＰＲＯＭ、フラッシュメモリ等）１４には、ディジタルＢＳとＣＳと地上ディジタルのそれぞれの放送波から取得した番組情報やユーザ設定情報などが格納される。
【００２５】
ＣＰＵ１３は、このディジタル放送受信装置３０における全体制御を行うものであるが、特にこの発明にかかる処理として、複数ＥＰＧの生成、及びその表示処理等を行う。
【００２６】
複数ＥＰＧの生成においては、ＣＰＵ１３は、ディジタルＢＳとＣＳと地上ディジタルのそれぞれの放送波から取得した番組情報に基づいて複数のＥＰＧを作成する。すなわち、図２に示すように、ＥＰＧの画面表示内に、ディジタルＢＳのＥＰＧ表示枠Ａと、ＣＳのＥＰＧ表示枠Ｂと、地上ディジタルのＥＰＧ表示枠Ｃとを確保し、これら表示枠内で各々の番組欄が時間帯を一致させて表示される。
【００２７】
より具体的には、図３に示しているように、ＣＰＵ１３は、ディジタルＢＳについては、１０１ｃｈにおける時間帯ＡＭ０：００〜ＡＭ３：００の番組情報をメモリ１４から取り出してＥＰＧ表示枠Ａを作成し、ＣＳについては、５１ｃｈにおける時間帯ＡＭ０：００〜ＡＭ３：００の番組情報をメモリ１４から取り出してＥＰＧ表示枠Ｂを作成し、地上ディジタルについては、３ｃｈにおける時間帯ＡＭ０：００〜ＡＭ３：００の番組情報をメモリ１４から取り出してＥＰＧ表示枠Ｃを作成する。
【００２８】
前述のチャンネル１０１，５１，３は、ユーザによって予め指定されるか、或いは、各放送において前回視聴したチャンネルとするか、或いは、各放送ごとの視聴履歴に基づいて最も頻繁に視聴したチャンネルとする。
【００２９】
ここで、ＢＳディジタルの視聴中に複数ＥＰＧキーが押下される場合を例にとってＣＰＵ１３処理を説明する。なお、ＢＳディジタル及びＣＳの番組情報は既にメモリ１４に格納されているとする。ＣＰＵ１３は、前記複数ＥＰＧキーの押下を検出すると、図４に示すように、チューナ出力を地上ディジタルチューナに切り替える（ステップＳ１）。次に、地上ディジタル用のＴＳデコーダで番組情報を取得する（ステップＳ２）。そして、ＥＰＧの画面表示内に、ディジタルＢＳのＥＰＧ表示枠Ａと、ＣＳのＥＰＧ表示枠Ｂと、地上ディジタルのＥＰＧ表示枠Ｃとを作成し、これら表示枠内で各々の番組欄を表示する（ステップＳ３）。
【００３０】
ユーザは、例えば、メニュー画面上の「複数ＥＰＧの番組／チャンネル指定」といった項目を選択する。この項目が選択されると、ＣＰＵ１３は、ＣＳ／ＢＳ／地上を選択するための入力枠、番組名を入力する入力枠、及びチャンネル番号入力枠を画面に表示する。前記入力枠に情報が入力された場合、ＣＰＵ１３は、これら入力情報をメモリ１４に格納する。また、入力された番組名の番組が存在するチャンネルが何番であるかをメモリ１４内の番組情報に基づいて検索する。複数のユーザにより指定された番組又はチャンネルについての情報を各々記憶しておき、各ユーザごとに前記電子番組ガイドが作成されるようにしてもよい。この場合、前記入力枠としてユーザ名入力枠を作成する。そして、複数ＥＰＧキーが押下されたときには、ユーザ選択項目を表示し、選択されたユーザの複数ＥＰＧ画面を表示する。
【００３１】
ＣＰＵ１３は、前記複数ＥＰＧの表示状態において、リモコン送信機１０の方向キー（十字キー）の操作を検出すると、カーソル（色変わり領域）を上下左右に移動させる。前記カーソルは、各番組欄の他、各放送ごとのスクロールバー（Ｄ１，Ｄ２，Ｄ３）の三角矢印の箇所にも移動できるようにしている。ＣＰＵ１３は例えば、ＢＳディジタル放送のスクロールバーの右方向三角矢印にカーソルが載せられている状態で例えば決定キーの押下を検出すると、ＢＳディジタルの１０２ｃｈの番組情報をメモリ１４から読み出す。そして、図２の表示状態に代えて、ＢＳディジタルのＥＰＧにおいては、１０２ｃｈの番組情報を表示する。
【００３２】
一方、前述したごとく、「複数ＥＰＧの番組／チャンネル指定」により、ＢＳディジタルにおいて１０１ｃｈと１０４ｃｈとが指定されていた場合、ＣＰＵ１３は、１０２ｃｈではなく、１０４ｃｈの番組情報を表示する。このように、ユーザは好みの番組やチャンネルを予め指定しておくことで、複数ＥＰＧ上で効率的に番組検索を行うことができる。なお、「複数ＥＰＧの番組／チャンネル指定」で指定されたチャンネルだけについて番組情報を取得することとすれば、番組情報の取得所要時間は短くなる。
【００３３】
複数ＥＰＧ上でユーザにより番組が選択されたときには（カーソルを所望の番組欄に移動させて決定キーを押下）、ＣＰＵ１３は、当該番組を受信するための処理（ディジタルチューナの切替処理やＴＳデコーダへの指令等）を行う。従って、ＢＳディジタルの番組視聴中に複数ＥＰＧキーを押下し、複数ＥＰＧ上で地上ディジタルの所望の番組欄を選択して決定キーを押すことで、地上ディジタルの所望の番組を視聴できることになる。
【図面の簡単な説明】
【００３４】
【図１】この発明の実施形態のディジタル放送受信装置を示したブロック図である。
【図２】複数ＥＰＧ画面を例示した説明図である。
【図３】図２の複数ＥＰＧ画面の生成のイメージを示した説明図である。
【図４】ＥＰＧ画面に関するユーザ設定の概略を示したフローチャートである。
【図５】従来のＥＰＧ画面を例示した説明図である。
【符号の説明】
【００３５】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2005286949.tif 000003
【図２】
2005286949.tif 000004
【図３】
2005286949.tif 000005
【図４】
2005286949.tif 000006
【図５】
2005286949.tif 000007